(57)【要約】【課題】床やベランダの色によっても目立ち過ぎることがなく、床やベランダを含む周辺環境の景観を損なうことのない避難器具用ハッチ用銘板の提供。【解決手段】スラブに固定される本体枠２と、前記本体枠２の上部に開閉可能に設けられた上蓋４と、前記本体枠２の下部に開閉可能に設けられた下蓋６と、を具備する避難器具用ハッチ１において、前記上蓋４の外側の表面に貼付されるシールからなる銘板８であって、前記銘板８の基材が透明か又は前記上蓋４の外側の表面と略同色であること、を特徴とする避難器具用ハッチ１用銘板８。【選択図】図１
0003209558.tif 000002
【実用新案登録請求の範囲】
【請求項１】
スラブに固定される本体枠と、前記本体枠の上部に開閉可能に設けられた上蓋と、前記本体枠の下部に開閉可能に設けられた下蓋と、を具備する避難器具用ハッチにおいて、前記上蓋の外側の表面に貼付されるシールからなる銘板であって、
前記銘板の基材が透明か又は前記上蓋の外側の表面と略同色であること、を特徴とする避難器具用ハッチ用銘板。
【請求項２】
スラブに固定される本体枠と、
前記本体枠の上部に開閉可能に設けられた上蓋と、
前記本体枠の下部に開閉可能に設けられた下蓋と、
前記上蓋の外側の表面に貼付されるシールからなり、基材が透明か又は前記上蓋の外側の表面と略同色である銘板と、
を具備する銘板付き避難器具用ハッチ。
【考案の詳細な説明】
【技術分野】
【０００１】
本考案は、例えば床やベランダのスラブに設置される避難器具用ハッチに関する。
【背景技術】
【０００２】
避難器具用ハッチは、煙が恐ろしい火災時等に安全に避難できる避難はしごを収納するものであり、中高層ビルの床やベランダ等に設置されるものである。従来のものとして、例えば特許文献１（特開２０１６−７７７１７号公報）には、スラブに固定され上部及び下部が開口する本体と、開口した前記上部を開閉可能な上蓋とを有する避難用ハッチが開示されている。
【０００３】
この避難器具用ハッチにおいては、避難器具がそこにあることを示すために、上蓋にシールからなる銘板が貼られている。実際の災害時に避難器具がある場所がわかるように、銘板は目立つようにしなければならない。
【先行技術文献】
【特許文献】
【０００４】
【特許文献１】特開２０１６−７７７１７号公報
【考案の概要】
【考案が解決しようとする課題】
【０００５】
しかしながら、避難器具用ハッチに貼付される従来の銘板は、床やベランダの色によっては目立ち過ぎてしまい、床やベランダを含む周辺環境の景観を損なってしまうことがある。
【０００６】
そこで、本考案の目的は、床やベランダの色によっても目立ち過ぎることがなく、床やベランダを含む周辺環境の景観を損なうことのない避難器具用ハッチ用銘板を提供することにある。
【課題を解決するための手段】
【０００７】
上記の課題を解決すべく、本考案は、
スラブに固定される本体枠２と、前記本体枠２の上部に開閉可能に設けられた上蓋４と、前記本体枠２の下部に開閉可能に設けられた下蓋６と、を具備する避難器具用ハッチ１において、前記上蓋４の外側の表面に貼付されるシールからなる銘板８であって、
前記銘板８の基材が透明か又は前記上蓋４の外側の表面と略同色であること、を特徴とする避難器具用ハッチ１用銘板８、
を提供する。
【０００８】
上記のような構成を有する本考案の避難器具用ハッチ１用銘板８においては、銘板８を構成するシールの基材が透明か又は上蓋４の外側の表面と略同色であるため、床やベランダの色によっても目立ち過ぎることがなく、床やベランダを含む周辺環境の景観を損なうことがない。
【０００９】
また、本考案は、
スラブに固定される本体枠２と、
前記本体枠２の上部に開閉可能に設けられた上蓋４と、
前記本体枠２の下部に開閉可能に設けられた下蓋６と、
前記上蓋４の外側の表面に貼付されるシールからなり、基材が透明か又は前記上蓋４の外側の表面と略同色である銘板８と、
を具備する銘板８付き避難器具用ハッチ１、
を提供する。
【００１０】
上記のような構成を有する本考案の銘板８付き避難器具用ハッチ１においては、銘板８を構成するシールの基材が透明か又は上蓋４の外側の表面と略同色であるため、床やベランダの色によっても目立ち過ぎることがなく、床やベランダを含む周辺環境の景観を損なうことがない。
【考案の効果】
【００１１】
上記のような構成の本考案によれば、床やベランダの色によっても目立ち過ぎることがなく、床やベランダを含む周辺環境の景観を損なうことのない避難器具用ハッチ用銘板を実現することができる。
【図面の簡単な説明】
【００１２】
【図１】本考案の避難器具用ハッチ１の一実施形態の概略斜視図である。
【図２】図１に示す避難器具用ハッチ１のＡ−Ａ線概略断面図である。
【図３】避難器具用ハッチ１に貼付されるシールからなる銘板８の一実施形態の平面図である。
【考案を実施するための形態】
【００１３】
以下、本考案の避難器具用ハッチ用銘板及び銘板付き避難器具用ハッチの一実施形態について、図面を参照しつつ詳細に説明する。なお、本考案はこれら図面に限定されるものではなく、また、図面は、本考案を概念的に説明するためのものであるから、理解容易のために、必要に応じて寸法、比又は数を誇張又は簡略化して表している場合もある。
【００１４】
図１、図２及び図３を参照して、避難器具用ハッチ１用銘板８及び銘板８付き避難器具用ハッチ１の構成を説明する。図１は、本考案の避難器具用ハッチ１の概略斜視図であり、図２は、図１に示す避難器具用ハッチ１のＡ−Ａ線概略断面図である。また、図３は、避難器具用ハッチ１に貼付されるシールからなる銘板８の一実施形態の平面図である。
【００１５】
本実施形態の避難器具用ハッチ１は、例えば高層建築物のベランダやバルコニーなどの床面に設置されるものであり、火災などの緊急時に折り畳み式の梯子を階下に伸長させる避難装置である。
【００１６】
この避難器具用ハッチ１は、図１に示すように、全体として箱型を呈しており、スラブに固定される金属（例えばステンレス鋼）製の本体枠２と、本体枠２の上部に開閉可能に設けられた金属（例えばステンレス鋼）製の上蓋４と、本体枠２の下部に開閉可能に設けられた金属（例えばステンレス鋼）製の下蓋６と、で構成されている。
【００１７】
本体枠２は、梯子及び連結機構（図示せず）を収納する枠体である。本体枠２は、互いに対向する２組の周壁から構成され、鉛直上向き及び鉛直下向きに開口している。なお、梯子は、本体枠２内に折り畳まれた状態で収納され、上蓋４及び下蓋６が開かれると階下に向かって伸長するものであり、連結機構は、上蓋４と下蓋６とを連結している。
【００１８】
上蓋４は、本体枠２の上側の開口部を開閉可能に覆う金属製蓋体であり、下蓋６は、本体枠２の下側の開口部を覆う蓋体であり、いずれも軸（図示せず）を介して本体枠２に取り付けられている。
【００１９】
ここで、本実施形態の避難器具用ハッチ１には、図２及び図３に示すように、上蓋４のうちの本体枠２からみて外側の表面の略中央部分に、シールからなる銘板８が貼付されている点を特徴としている。
【００２０】
本実施形態における銘板８を構成するシールは、基材８ａの部分が略透明であり、当該基材８ａに文字や絵等の情報８ｂが印刷されていることによって、銘板８を構成している。即ち、銘板８においては、文字や絵等の情報８以外の部分は略透明である。
【００２１】
このような構成を有することによって、本実施形態の避難器具用ハッチ１用銘板８は、銘板８を構成するシールの基材８ａが略透明であるため、基材が白色である従来の銘板に比べ、また、床やベランダの色によっても、目立ち過ぎることがなく、その床やベランダを含む周辺環境の景観を損なうことがない。
【００２２】
なお、銘板８を構成するシールの基材は、上蓋４の外側の表面と略同色であってもよい（即ち、上蓋４の外側の表面と略同色に塗装されていてもよい）。これによっても、本実施形態の避難器具用ハッチ１用銘板８は、床やベランダの色によっても目立ち過ぎることがなく、その床やベランダを含む周辺環境の景観を損なうことがない。
【符号の説明】
【００２３】
１・・・避難器具用ハッチ、
２・・・本体枠、
４・・・上蓋、
６・・・下蓋、
８・・・銘板、
８ａ・・・基材、
８ｂ・・・情報。
【図１】
0003209558.tif 000003
【図２】
0003209558.tif 000004
【図３】
0003209558.tif 000005